(57)【要約】【課題】送信者から受信者に確実に、かつ、容易に画像を送ることができるようにする。【解決手段】送信者の携帯端末と、受信者の携帯端末と、送信装置と、複数の画像通信装置とを有する。受信者の携帯端末は、所定の画像通信装置を受信装置として決定する受信装置決定部、及び受信装置の情報を送信する受信装置情報送信部を備える。送信者の携帯端末は、受信装置情報送信部から受信した受信装置の情報を送信装置に送信する端末通信部を備える。送信装置は、画像データを受信装置に送信するファクシミリ通信部を備える。送信装置のファクシミリ通信部が、受信装置の情報に基づいて画像データを受信装置に送信するので、送信者は、受信者に確実に、かつ、容易に画像を送ることができる。【選択図】図１
2020136911.tif 000002
【特許請求の範囲】
【請求項１】
（ａ）送信者の携帯端末と、
（ｂ）該送信者の携帯端末と通信網を介して接続された受信者の携帯端末と、
（ｃ）送信者がセットした原稿の画像データを生成する送信装置と、
（ｄ）該送信装置と通信網を介して接続された複数の画像通信装置とを有するとともに、
（ｅ）前記受信者の携帯端末は、前記各画像通信装置のうちの所定の画像通信装置を、前記画像データを受信する受信装置として決定する受信装置決定部、及び受信装置の情報を送信者の携帯端末に送信する受信装置情報送信部を備え、
（ｆ）前記送信者の携帯端末は、前記受信装置情報送信部から受信した受信装置の情報を送信装置に送信する端末通信部を備え、
（ｇ）前記送信装置は、前記端末通信部から受信した受信装置の情報に基づいて画像データを受信装置に送信するファクシミリ通信部を備えることを特徴とする通信システム。
【請求項２】
前記送信者の携帯端末及び受信者の携帯端末のアプリケーション部に、送信者から受信者に手動送信で画像を送るための手動送信アプリケーションが記録される請求項１に記載の通信システム。
【請求項３】
前記受信装置決定部は、送信者の携帯端末から送信装置の情報が送信されたときに、前記画像通信装置のうちの、ファクシミリ受信可能な画像通信装置を検索し、受信装置を決定する請求項１又は２に記載の通信システム。
【請求項４】
前記ファクシミリ受信可能な画像通信装置は、受信者の携帯端末と画像通信装置との間で近距離無線通信を行うことによって検索される請求項３に記載の通信システム。
【請求項５】
送信者の携帯端末において、受信者の携帯端末から送信された受信装置の情報に基づいてアドレス帳が更新される請求項１〜４のいずれか１項に記載の通信システム。
【請求項６】
前記送信装置において、送信者の携帯端末から送信された受信装置の情報に基づいてアドレス帳が更新される請求項１〜４のいずれか１項に記載の通信システム。
【発明の詳細な説明】
【技術分野】
【０００１】
本発明は、通信システムに関するものである。
【背景技術】
【０００２】
従来、ファクシミリ、複合機等の画像通信装置、例えば、複合機は、ファクシミリ機能を有していて、該ファクシミリ機能によって、接続された複合機間で原稿の画像データを送受信することができる。
【０００３】
図２は従来の通信システムを示す図である。
【０００４】
図において、Ｓｘは通信システム、Ｓｅは画像を送る送信者、Ｒｅは画像を受ける受信者、Ｍｐ１は送信者Ｓｅが使用する送信装置としての複合機、Ｍｐ２は受信者が使用する受信装置としての複合機、Ｐｈ１は送信者Ｓｅの携帯端末、Ｐｈ２は受信者Ｒｅの携帯端末、Ｎｓは前記複合機Ｍｐ１、Ｍｐ２間及び前記携帯端末Ｐｈ１、Ｐｈ２間を接続する電話通信網である。
【０００５】
原稿の画像を受信者Ｒｅに送る場合、送信者Ｓｅが、複合機Ｍｐ１に原稿をセットし、受信者Ｒｅを指定すると、複合機Ｍｐ１は、原稿の画像を読み込み、画像データを生成し、受信者Ｒｅの複合機Ｍｐ２に送信する。
【０００６】
複合機Ｍｐ１から複合機Ｍｐ２に画像データを確実に送るために手動送信が行われることがある。その場合、送信者Ｓｅは、送信先の複合機Ｍｐ２を指定し、複合機Ｍｐ１に原稿をセットし、携帯端末Ｐｈ１を使用して受信者Ｒｅの携帯端末Ｐｈ２に電話を掛け、複合機Ｍｐ２に画像データを送信する旨を伝える。続いて、受信者Ｒｅが複合機Ｍｐ２の受信スイッチを押下し、送信者Ｓｅが複合機Ｍｐ１の送信スイッチを押下すると、複合機Ｍｐ１が、原稿の画像を読み込み、画像データを生成し、画像データを受信者Ｒｅの複合機Ｍｐ２に送信する（例えば、特許文献１参照。）。
【先行技術文献】
【特許文献】
【０００７】
【特許文献１】特開２０１８−１０７６８５号公報
【発明の概要】
【発明が解決しようとする課題】
【０００８】
しかしながら、前記従来の通信システムＳｘの手動送信においては、送信者Ｓｅが送信先の複合機Ｍｐ２を指定してから受信者Ｒｅの携帯端末Ｐｈ２に電話を掛けるようになっているので、受信者Ｒｅが複合機Ｍｐ２の置かれた地点にいない場合は、送信者Ｓｅが、複合機Ｍｐ１による画像データの送信をキャンセルするか、受信者Ｒｅがいる地点に置かれた複合機を指定して画像データを送信するかしなければならない。
【０００９】
したがって、送信者Ｓｅが受信者Ｒｅに原稿の画像を確実に送るのが困難なだけでなく、原稿の画像を送るための作業が煩わしい。
【００１０】
本発明は、前記従来の通信システムＳｘの問題点を解決して、送信者から受信者に確実に、かつ、容易に画像を送ることができる通信システムを提供することを目的とする。
【課題を解決するための手段】
【００１１】
そのために、本発明の通信システムにおいては、送信者の携帯端末と、該送信者の携帯端末と通信網を介して接続された受信者の携帯端末と、送信者がセットした原稿の画像データを生成する送信装置と、該送信装置と通信網を介して接続された複数の画像通信装置とを有する。
【００１２】
そして、前記受信者の携帯端末は、前記各画像通信装置のうちの所定の画像通信装置を、前記画像データを受信する受信装置として決定する受信装置決定部、及び受信装置の情報を送信者の携帯端末に送信する受信装置情報送信部を備える。
【００１３】
また、前記送信者の携帯端末は、前記受信装置情報送信部から受信した受信装置の情報を送信装置に送信する端末通信部を備える。
【００１４】
そして、前記送信装置は、前記端末通信部から受信した受信装置の情報に基づいて画像データを受信装置に送信するファクシミリ通信部を備える。
【発明の効果】
【００１５】
本発明によれば、通信システムにおいては、送信者の携帯端末と、該送信者の携帯端末と通信網を介して接続された受信者の携帯端末と、送信者がセットした原稿の画像データを生成する送信装置と、該送信装置と通信網を介して接続された複数の画像通信装置とを有する。
【００１６】
そして、前記受信者の携帯端末は、前記各画像通信装置のうちの所定の画像通信装置を、前記画像データを受信する受信装置として決定する受信装置決定部、及び受信装置の情報を送信者の携帯端末に送信する受信装置情報送信部を備える。
【００１７】
また、前記送信者の携帯端末は、前記受信装置情報送信部から受信した受信装置の情報を送信装置に送信する端末通信部を備える。
【００１８】
そして、前記送信装置は、前記端末通信部から受信した受信装置の情報に基づいて画像データを受信装置に送信するファクシミリ通信部を備える。
【００１９】
この場合、送信装置のファクシミリ通信部が、送信者の携帯端末の端末通信部から受信した受信装置の情報に基づいて画像データを受信装置に送信するので、送信者は、画像通信装置による画像データの送信をキャンセルしたり、受信者がいる地点に置かれた画像通信装置を指定して画像データを送信したりすることなく、受信者に確実に、かつ、容易に画像を送ることができる。
【図面の簡単な説明】
【００２０】
【図１】本発明の実施の形態における複合機の制御ブロック図である。
【図２】従来の通信システムを示す図である。
【図３】本発明の実施の形態における通信システムを示す図である。
【図４】本発明の実施の形態における送信者の携帯端末の制御ブロック図である。
【図５】本発明の実施の形態における受信者の携帯端末の制御ブロック図である。
【図６】本発明の実施の形態における送信者が使用する複合機の制御ブロック図である。
【図７】本発明の実施の形態における受信者が使用する複合機の制御ブロック図である。
【図８】本発明の実施の形態における通信システムの動作を示す第１のシーケンス図である。
【図９】本発明の実施の形態における通信システムの動作を示す第２のシーケンス図である。
【図１０】本発明の実施の形態における手動送信アプリケーション画面の第１の例を示す図である。
【図１１】本発明の実施の形態における手動送信アプリケーション画面の第２の例を示す図である。
【図１２】本発明の実施の形態における手動送信アプリケーション画面の第３の例を示す図である。
【図１３】本発明の実施の形態における手動送信アプリケーション画面の第４の例を示す図である。
【図１４】本発明の実施の形態における手動送信アプリケーション画面の第５の例を示す図である。
【図１５】本発明の実施の形態における手動送信アプリケーション画面の第６の例を示す図である。
【図１６】本発明の実施の形態における電話受信画面の例を示す図である。
【図１７】本発明の実施の形態における手動送信アプリケーション画面の第７の例を示す図である。
【図１８】本発明の実施の形態における手動送信アプリケーション画面の第８の例を示す図である。
【図１９】本発明の実施の形態における手動送信アプリケーション画面の第９の例を示す図である。
【図２０】本発明の実施の形態における手動送信アプリケーション画面の第１０の例を示す図である。
【図２１】本発明の実施の形態における携帯端末のアドレス帳の更新方法を説明するための図である。
【図２２】本発明の実施の形態における複合機のアドレス帳の更新方法を説明するための図である。
【図２３】本発明の実施の形態における携帯端末の更新前のアドレス帳が有する受信者情報の例を示す図である。
【図２４】本発明の実施の形態における携帯端末の更新後のアドレス帳が有する受信者情報の例を示す図である。
【図２５】本発明の実施の形態における複合機の更新前のアドレス帳が有する複合機情報の例を示す図である。
【図２６】本発明の実施の形態における複合機の更新後のアドレス帳が有する複合機情報の例を示す図である。
【発明を実施するための形態】
【００２１】
以下、本発明の実施の形態について図面を参照しながら詳細に説明する。この場合、画像通信装置としての複合機、及び通信システムについて説明する。
【００２２】
図３は本発明の実施の形態における通信システムを示す図である。
【００２３】
図において、Ｓｙは通信システム、Ｓｅは画像を送る操作者としての送信者、Ｒｅは画像を受ける操作者としての受信者、Ｍｔｉ（ｉ＝１、２、…、５）はそれぞれの地点Ａｒｉ（ｉ＝１、２、…、５）に置かれた複合機、Ｐｈ１は送信者Ｓｅの携帯端末、Ｐｈ２は受信者Ｒｅの携帯端末、Ｎｔ１は前記各複合機Ｍｔｉ間を接続する第１の通信網としての電話通信網、Ｎｔ２は前記携帯端末Ｐｈ１、Ｐｈ２間を接続する第２の通信網としての電話通信網、Ｎｔ３は各複合機Ｍｔｉ間及び携帯端末Ｐｈ１、Ｐｈ２間を接続する第３の通信網としてのインターネット等のネットワーク通信網である。前記携帯端末Ｐｈ１、Ｐｈ２として携帯電話、タブレット端末等が使用される。
【００２４】
前記通信システムＳｙは、複合機Ｍｔｉ、携帯端末Ｐｈ１、Ｐｈ２、電話通信網Ｎｔ１、Ｎｔ２、ネットワーク通信網Ｎｔ３等によって形成される。
【００２５】
本実施の形態においては、送信者Ｓｅが、前記複合機Ｍｔｉのうちの地点Ａｒ１に置かれた複合機Ｍｔ１を送信装置として使用し、受信者Ｒｅが、地点Ａｒ２〜Ａｒ５に置かれた複合機Ｍｔ２〜Ｍｔ５のうちのいずれかの複合機、本実施の形態においては、複合機Ｍｔ３を受信装置として使用する。
【００２６】
次に、複合機Ｍｔｉについて説明する。
【００２７】
図１は本発明の実施の形態における複合機の制御ブロック図である。
【００２８】
複合機Ｍｔｉは、スキャナ部Ｓｃｉ（ｉ＝１、２、…、５）、印刷部Ｐｔｉ（ｉ＝１、２、…、５）、第１の通信部としてのファクシミリ通信部Ｔａｉ（ｉ＝１、２、…、５）、第２の通信部としてのネットワーク通信部Ｔｂｉ（ｉ＝１、２、…、５）、第１の操作・表示部としての操作パネルＯｐｉ（ｉ＝１、２、…、５）、制御部Ｃｔｉ（ｉ＝１、２、…、５）、第１の記憶部としてのデータ記憶部Ｄｔｉ（ｉ＝１、２、…、５）、第３の通信部としての、かつ、近距離無線通信部としてのＢｌｕｅｔｏｏｔｈ（登録商標）通信部Ｔｃｉ（ｉ＝１、２、…、５）等を備える。
【００２９】
そして、前記制御部Ｃｔｉは、制御バスＢｕｉ（ｉ＝１、２、…、５）を介してスキャナ部Ｓｃｉ、印刷部Ｐｔｉ、ファクシミリ通信部Ｔａｉ、ネットワーク通信部Ｔｂｉ、操作パネルＯｐｉ、データ記憶部Ｄｔｉ及びＢｌｕｅｔｏｏｔｈ（登録商標）通信部Ｔｃｉと接続される。
【００３０】
また、制御部Ｃｔｉは、いずれも図示されない演算装置としてのＣＰＵ、ＲＯＭ、ＲＡＭ、入出力ポート、タイマ等を備え、複合機Ｍｔｉの全体の制御を行うとともに、ＲＯＭに記録されたプログラムに基づいて各種の処理を行う。
【００３１】
スキャナ部Ｓｃｉは、セットされた原稿の画像を読み取り、画像データを生成する。
【００３２】
印刷部Ｐｔｉは、スキャナ部Ｓｃｉが生成した画像データを読み込んだり、ファクシミリ通信部Ｔａｉが他の複合機から受信した画像データを読み込んだり、ネットワーク通信部Ｔｂｉが上位装置としての図示されないホストコンピュータから受信した印刷データを読み込んだりして、媒体としての図示されない用紙に画像を形成し、印刷を行う。
【００３３】
ファクシミリ通信部Ｔａｉは、前記電話通信網Ｎｔ１（図３）を介して他の複合機に画像データを送信したり、他の複合機から画像データを受信する。
【００３４】
ネットワーク通信部Ｔｂｉは、図示されないネットワーク通信網を介して前記ホストコンピュータから印刷データを受信する。
【００３５】
操作パネルＯｐｉは、複合機Ｍｔｉの状態を表示するためのＬＥＤ画面等から成る図示されない表示部、及び送信者Ｓｅ、受信者Ｒｅ等の操作者が複合機Ｍｔｉへの指示を入力するためのスイッチ、キー等から成る図示されない操作部を備える。なお、操作パネルＯｐｉがタッチパネルによって形成されている場合、操作パネルＯｐｉは表示部として機能するとともに、操作部としても機能する。
【００３６】
データ記憶部Ｄｔｉには、複合機Ｍｔｉのアドレス帳が記録されるほかに、スキャナ部Ｓｃｉが生成した画像データ、ファクシミリ通信部Ｔａｉが受信した画像データ、ネットワーク通信部Ｔｂｉが受信した印刷データ等が記録される。
【００３７】
Ｂｌｕｅｔｏｏｔｈ（登録商標）通信部Ｔｃｉは、複合機Ｍｔｉと、送信者Ｓｅの携帯端末Ｐｈ１及び受信者Ｒｅの携帯端末Ｐｈ２との間の通信を行う。
【００３８】
次に、携帯端末Ｐｈ１、Ｐｈ２について説明する。
【００３９】
図４は本発明の実施の形態における送信者の携帯端末の制御ブロック図、図５は本発明の実施の形態における受信者の携帯端末の制御ブロック図である。
【００４０】
携帯端末Ｐｈ１は、第１の音声入力部としてのマイク２１、第１の音声出力部としてのスピーカ２２、アプリケーション部２３、第１の端末通信部としてのネットワーク通信部２４、第２の端末通信部としての電話通信部２５、第１の端末操作・表示部としての操作パネル２６、制御部２７、第１の端末記憶部としてのデータ記憶部２８、第３の端末通信部としての、かつ、第１の端末近距離無線通信部としてのＢｌｕｅｔｏｏｔｈ（登録商標）通信部２９等を備える。
【００４１】
そして、前記制御部２７は、制御バス３０を介してマイク２１、スピーカ２２、アプリケーション部２３、ネットワーク通信部２４、電話通信部２５、操作パネル２６、データ記憶部２８、Ｂｌｕｅｔｏｏｔｈ（登録商標）通信部２９等と接続される。
【００４２】
また、携帯端末Ｐｈ２は、第２の音声入力部としてのマイク３１、第２の音声出力部としてのスピーカ３２、アプリケーション部３３、第４の端末通信部としての、かつ、受信装置情報送信部としてのネットワーク通信部３４、第５の端末通信部としての電話通信部３５、第２の端末操作・表示部としての操作パネル３６、受信装置決定部としての制御部３７、第２の端末記憶部としてのデータ記憶部３８、第６の端末通信部としての、かつ、第２の端末近距離無線通信部としてのＢｌｕｅｔｏｏｔｈ（登録商標）通信部３９等を備える。
【００４３】
そして、前記制御部３７は、制御バス４０を介してマイク３１、スピーカ３２、アプリケーション部３３、ネットワーク通信部３４、電話通信部３５、操作パネル３６、データ記憶部３８、Ｂｌｕｅｔｏｏｔｈ（登録商標）通信部３９等と接続される。
【００４４】
前記制御部２７、３７は、いずれも図示されない演算装置としてのＣＰＵ、ＲＯＭ、ＲＡＭ、入出力ポート、タイマ等を備え、携帯端末Ｐｈ１、Ｐｈ２の全体の制御を行うとともに、アプリケーション部２３、３３に記録された各種のアプリケーションに基づいて各種の処理を行う。
【００４５】
前記マイク２１、３１及びスピーカ２２、３２は、送信者Ｓｅ及び受信者Ｒｅが携帯端末Ｐｈ１、Ｐｈ２間で電話通信を行うための音声入力及び音声出力を行う。
【００４６】
前記アプリケーション部２３、３３には、送信者Ｓｅから受信者Ｒｅにファクシミリ機能によって手動送信で画像を送るためのアプリケーションである図示されない手動送信アプリケーションのほかに、携帯端末Ｐｈ１、Ｐｈ２のアドレス帳を検索するためのアプリケーション、連絡先の処理を行うためのアプリケーション、ＬＩＮＥ（登録商標）の処理を行うためのアプリケーション等が記録される。
【００４７】
前記ネットワーク通信部２４、３４は、携帯端末Ｐｈ１、Ｐｈ２間で複合機Ｍｔ１、Ｍｔ３の情報を送受信する。
【００４８】
前記電話通信部２５、３５は、携帯端末Ｐｈ１、Ｐｈ２間で電話通信を行う。
【００４９】
前記操作パネル２６、３６は、タッチパネルから成り、携帯端末Ｐｈ１、Ｐｈ２の状態を表示するための表示部、及び操作者が携帯端末Ｐｈ１、Ｐｈ２への指示を入力するための操作部を備える。
【００５０】
前記データ記憶部２８、３８には、携帯端末Ｐｈ１、Ｐｈ２の各アドレス帳が記録されるほかに各種のデータが記録される。
【００５１】
前記Ｂｌｕｅｔｏｏｔｈ（登録商標）通信部２９、３９は、携帯端末Ｐｈ１、Ｐｈ２と複合機Ｍｔｉとの間の通信を行う。
【００５２】
次に、通信システムＳｙの動作について説明する。
【００５３】
この場合、送信者Ｓｅが地点Ａｒ１にいて、携帯端末Ｐｈ１の近傍に複合機Ｍｔ１があり、受信者Ｒｅが地点Ａｒ３にいて、携帯端末Ｐｈ２の近傍に複合機Ｍｔ３がある場合について説明する。
【００５４】
図６は本発明の実施の形態における送信者が使用する複合機の制御ブロック図、図７は本発明の実施の形態における受信者が使用する複合機の制御ブロック図、図８は本発明の実施の形態における通信システムの動作を示す第１のシーケンス図、図９は本発明の実施の形態における通信システムの動作を示す第２のシーケンス図、図１０は本発明の実施の形態における手動送信アプリケーション画面の第１の例を示す図、図１１は本発明の実施の形態における手動送信アプリケーション画面の第２の例を示す図、図１２は本発明の実施の形態における手動送信アプリケーション画面の第３の例を示す図、図１３は本発明の実施の形態における手動送信アプリケーション画面の第４の例を示す図、図１４は本発明の実施の形態における手動送信アプリケーション画面の第５の例を示す図、図１５は本発明の実施の形態における手動送信アプリケーション画面の第６の例を示す図、図１６は本発明の実施の形態における電話受信画面の例を示す図、図１７は本発明の実施の形態における手動送信アプリケーション画面の第７の例を示す図、図１８は本発明の実施の形態における手動送信アプリケーション画面の第８の例を示す図、図１９は本発明の実施の形態における手動送信アプリケーション画面の第９の例を示す図、図２０は本発明の実施の形態における手動送信アプリケーション画面の第１０の例を示す図、図２１は本発明の実施の形態における携帯端末のアドレス帳の更新方法を説明するための図、図２２は本発明の実施の形態における複合機のアドレス帳の更新方法を説明するための図、図２３は本発明の実施の形態における携帯端末の更新前のアドレス帳が有する受信者情報の例を示す図、図２４は本発明の実施の形態における携帯端末の更新後のアドレス帳が有する受信者情報の例を示す図、図２５は本発明の実施の形態における複合機の更新前のアドレス帳が有する複合機情報の例を示す図、図２６は本発明の実施の形態における複合機の更新後のアドレス帳が有する複合機情報の例を示す図である。
【００５５】
図に示されるように、送信者Ｓｅが使用する複合機Ｍｔ１は、スキャナ部Ｓｃ１、印刷部Ｐｔ１、ファクシミリ通信部Ｔａ１、ネットワーク通信部Ｔｂ１、操作パネルＯｐ１、制御部Ｃｔ１、データ記憶部Ｄｔ１、Ｂｌｕｅｔｏｏｔｈ（登録商標）通信部Ｔｃ１等をを備え、前記制御部Ｃｔ１は、制御バスＢｕ１を介してスキャナ部Ｓｃ１、印刷部Ｐｔ１、ファクシミリ通信部Ｔａ１、ネットワーク通信部Ｔｂ１、操作パネルＯｐ１、データ記憶部Ｄｔ１及びＢｌｕｅｔｏｏｔｈ（登録商標）通信部Ｔｃ１と接続される。
【００５６】
また、受信者Ｒｅが使用する複合機Ｍｔ３は、スキャナ部Ｓｃ３、印刷部Ｐｔ３、ファクシミリ通信部Ｔａ３、ネットワーク通信部Ｔｂ３、操作パネルＯｐ３、制御部Ｃｔ３、データ記憶部Ｄｔ３、Ｂｌｕｅｔｏｏｔｈ（登録商標）通信部Ｔｃ３等を備え、前記制御部Ｃｔ３は、制御バスＢｕ３を介してスキャナ部Ｓｃ３、印刷部Ｐｔ３、ファクシミリ通信部Ｔａ３、ネットワーク通信部Ｔｂ３、操作パネルＯｐ３、データ記憶部Ｄｔ３及びＢｌｕｅｔｏｏｔｈ（登録商標）通信部Ｔｃ３と接続される。
【００５７】
まず、送信者Ｓｅは、携帯端末Ｐｈ１（図４）の操作パネル２６の操作部を操作して、アプリケーション部２３にアクセスし、ファクシミリ機能によって手動送信で画像を送るための手動送信アプリケーションを開く。
【００５８】
これにより、携帯端末Ｐｈ１のＢｌｕｅｔｏｏｔｈ（登録商標）通信部２９が近距離無線通信を行い、制御部２７が、携帯端末Ｐｈ１の近傍に存在し、画像データを送信することが可能な複合機、すなわち、ファクシミリ送信可能な装置を検索し、操作パネル２６の表示部に、図１０に示される手動送信アプリケーション画面ｄｓ１を形成し、該手動送信アプリケーション画面ｄｓ１に、「ファクシミリ送信可能な装置を検索中です。」等のファクシミリ送信可能な装置を検索している旨のメッセージｍ１を表示する。
【００５９】
複合機Ｍｔｉのうちの、携帯端末Ｐｈ１の近傍にある、地点Ａｒ１に置かれた複合機Ｍｔ１が、ファクシミリ送信可能である旨を、Ｂｌｕｅｔｏｏｔｈ（登録商標）通信部Ｔｃ１による近距離無線通信を介して携帯端末Ｐｈ１に通知すると、携帯端末Ｐｈ１の制御部２７は、操作パネル２６の表示部に、図１１に示される手動送信アプリケーション画面ｄｓ２を形成し、該手動送信アプリケーション画面ｄｓ２に、「ファクシミリ送信可能な装置」として「複合機Ｍｔ１」又は「アドレス帳から選択する」の選択肢を表示するとともに、「ＯＫ」ボタンｋ１及び「キャンセル」ボタンｋ２を表示することによって、ファクシミリ送信可能な装置の情報を送信者Ｓｅに通知する。
【００６０】
送信者Ｓｅが、ファクシミリ送信可能な装置として複合機Ｍｔ１を選択し、複合機Ｍｔ１に原稿をセットすると、複合機Ｍｔ１のスキャナ部Ｓｃ１は、原稿の画像を読み取り、画像データを生成する。
【００６１】
そして、携帯端末Ｐｈ１の制御部２７は、操作パネル２６の表示部に、図１２に示される手動送信アプリケーション画面ｄｓ３を形成し、該手動送信アプリケーション画面ｄｓ３に、「連絡先を開く」ボタンｋ３、「ＬＩＮＥ（登録商標）を開く」ボタンｋ４及び「キャンセル」ボタンｋ５を表示し、送信者Ｓｅに、受信者Ｒｅの所在、及び画像データを送信することができるかどうか、すなわち、ファクシミリ送信の可否を確認するよう促す。
【００６２】
続いて、送信者Ｓｅが、「連絡先を開く」ボタンｋ３、又は「ＬＩＮＥ（登録商標）を開く」ボタンｋ４を押下すると、携帯端末Ｐｈ１の制御部２７は、データ記憶部２８に記録されたアドレス帳を読み込み、前記手動送信アプリケーション画面ｄｓ３に宛先一覧を表示する。そして、送信者Ｓｅが宛先一覧において受信者Ｒｅを選択すると、携帯端末Ｐｈ１の制御部２７は、アドレス帳を参照し、携帯端末Ｐｈ２の電話番号を検索し、携帯端末Ｐｈ２に電話を掛ける。
【００６３】
このとき、制御部２７は、操作パネル２６の表示部に、図１３に示される手動送信アプリケーション画面ｄｓ４を形成し、該手動送信アプリケーション画面ｄｓ４に、「電話相手」として受信者Ｒｅの名称を表す「Ｒｅ」を、「ファクシミリ送信先」の宛先情報として「未入力」を、「携帯端末Ｐｈ１のアドレス帳の更新」として「更新しない」、「追加する」及び「上書きする」の選択肢を、「複合機Ｍｔ１のアドレス帳の更新」として「更新しない」、「追加する」及び「上書きする」の選択肢を表示するとともに、「送信」ボタンｋ６及び「キャンセル」ボタンｋ７を表示する。
【００６４】
一方、携帯端末Ｐｈ２の制御部３７は、操作パネル３６の表示部に、図１６に示される電話受信画面ｄｓ７を形成し、該電話受信画面ｄｓ７に、送信者Ｓｅの名称を表す「Ｓｅ」、送信者Ｓｅの携帯端末Ｐｈ１の電話番号「０９０−ＸＸＸＸ−ＸＸＸＸ」、「キャンセル」ボタンｋ２１及び「応答」ボタンｋ２２を表示することによって、受信者Ｒｅに電話が掛かっていることを受信者Ｒｅに通知する。
【００６５】
続いて、携帯端末Ｐｈ２において受信者Ｒｅが電話に出ると、携帯端末Ｐｈ１の制御部２７は、電話通信の開始を検出する。電話通信において、送信者Ｓｅは、複合機Ｍｔ２に画像データを送信する旨を受信者Ｒｅに伝える。
【００６６】
そして、送信者Ｓｅが手動送信アプリケーション画面ｄｓ４の「送信」ボタンｋ６を押下すると、携帯端末Ｐｈ１のネットワーク通信部２４は、ネットワーク通信網Ｎｔ３を介して携帯端末Ｐｈ２に複合機Ｍｔ１の情報を送信する。
【００６７】
携帯端末Ｐｈ２において、ネットワーク通信部３４は、複合機Ｍｔ１の情報を受信すると、複合機Ｍｔ１の情報をデータ記憶部３８に一時的に記録する。
【００６８】
そして、受信者Ｒｅが、携帯端末Ｐｈ２の操作パネル３６の操作部を操作して、アプリケーション部３３にアクセスし、ファクシミリ機能によって手動送信で画像を受けるための手動送信アプリケーションを開くと、携帯端末Ｐｈ２の制御部３７は、操作パネル３６の表示部に、図１７に示される手動送信アプリケーション画面ｄｓ８を形成し、該手動送信アプリケーション画面ｄｓ８に、「データを受信しました。」等の、複合機Ｍｔ１の情報を受信した旨のメッセージｍ２１を表示するとともに、送信者Ｓｅの名称を表す「Ｓｅ」、送信者Ｓｅの携帯端末Ｐｈ１の電話番号「０９０−ＸＸＸＸ−ＸＸＸＸ」、電話通信が行われていることを表す「通話中」、及び「終了」ボタンｋ２３を表示する。
【００６９】
また、携帯端末Ｐｈ２のＢｌｕｅｔｏｏｔｈ（登録商標）通信部３９が近距離無線通信を行い、制御部３７が、携帯端末Ｐｈ２の近傍に存在し、画像データを受信することが可能な複合機、すなわち、ファクシミリ受信可能な装置を検索し、操作パネル３６の表示部に、図１８に示される手動送信アプリケーション画面ｄｓ９を形成し、該手動送信アプリケーション画面ｄｓ９に、「ファクシミリ受信可能な装置を検索中です。」等の、ファクシミリ受信可能な装置を検索している旨のメッセージｍ２２を表示する。
【００７０】
複合機Ｍｔｉのうちの、携帯端末Ｐｈ２の近傍にある、地点Ａｒ３に置かれた複合機Ｍｔ３が、ファクシミリ受信可能な装置である旨を、Ｂｌｕｅｔｏｏｔｈ（登録商標）通信部Ｔｃ３による近距離無線通信を介して携帯端末Ｐｈ２に通知すると、携帯端末Ｐｈ２の制御部３７は、複合機Ｍｔ２〜Ｍｔ５のうちの所定の複合機、本実施の形態においては、複合機Ｍｔ３を画像データを受信する複合機として決定し、操作パネル３６の表示部に、図１９に示される手動送信アプリケーション画面ｄｓ１０を形成し、該手動送信アプリケーション画面ｄｓ１０に、「ファクシミリ受信可能な装置」として、「複合機Ｍｔ３」及び「アドレス帳から選択する」等の選択肢を表示するとともに、「ＯＫ」ボタンｋ２４及び「キャンセル」ボタンｋ２５を表示することによって、ファクシミリ受信可能な装置の情報を受信者Ｒｅに通知する。
【００７１】
受信者Ｒｅが、ファクシミリ受信可能な装置として複合機Ｍｔ３を選択すると、携帯端末Ｐｈ２のＢｌｕｅｔｏｏｔｈ（登録商標）通信部３９は、近距離無線通信を行い、複合機Ｍｔ１の情報を複合機Ｍｔ３に送信する。複合機Ｍｔ３のＢｌｕｅｔｏｏｔｈ（登録商標）通信部Ｔｃ３は、複合機Ｍｔ１の情報を受信すると、複合機Ｍｔ１の情報をデータ記憶部Ｄｔ３に一時的に記録する。
【００７２】
続いて、複合機Ｍｔ３のＢｌｕｅｔｏｏｔｈ（登録商標）通信部Ｔｃ３は、近距離無線通信を行い、宛先情報としての複合機Ｍｔ３の情報を携帯端末Ｐｈ２に送信し、携帯端末Ｐｈ２のネットワーク通信部３４は、ネットワーク通信網Ｎｔ３を介して複合機Ｍｔ３の情報を携帯端末Ｐｈ１に送信する。
【００７３】
このとき、携帯端末Ｐｈ２の制御部３７は、操作パネル３６の表示部に、図２０に示される手動送信アプリケーション画面ｄｓ１１を形成し、該手動送信アプリケーション画面ｄｓ１１に、「ファクシミリ受信予定の装置にファクシミリ送信元の情報を送信しました。」等の、複合機Ｍｔ３に複合機Ｍｔ１の情報を送信した旨のメッセージｍ２３、及び「送信者Ｓｅにファクシミリ受信予定の装置の情報を送信しました。」等の、携帯端末Ｐｈ１に複合機Ｍｔ３の情報を送信した旨のメッセージｍ２４を表示する。また、携帯端末Ｐｈ２の制御部３７は、手動送信アプリケーション画面ｄｓ１１に、電話相手として、送信者Ｓｅの名称を表す「Ｓｅ」を、「ファクシミリ送信元」として、「複合機Ｍｔ１」、及び複合機Ｍｔ１の宛先情報であるファックス番号「ＸＸＸＸ−ＸＸ−ＸＸＸ１」を表示し、「ファクシミリ受信予定の装置」として、「複合機Ｍｔ３」、及び複合機Ｍｔ３の宛先情報であるファックス番号「ＸＸＸＸ−ＸＸ−ＸＸＸ３」を表示するとともに、「終了」ボタンｋ２６を表示する。
【００７４】
この時点で、受信者Ｒｅは、送信者Ｓｅとの電話通信を継続する必要がないと判断すると、電話を切り、携帯端末Ｐｈ２の操作パネル３６の操作部を操作して、アプリケーション部３３にアクセスし、手動送信アプリケーションを終了する。
【００７５】
一方、携帯端末Ｐｈ１において、複合機Ｍｔ３の情報を受信すると、制御部２７は、操作パネル２６の表示部に形成されている手動送信アプリケーション画面ｄｓ４を更新し、、図１４に示される手動送信アプリケーション画面ｄｓ５を形成し、該手動送信アプリケーション画面ｄｓ５に、「電話相手」として受信者Ｒｅの名称を表す「Ｒｅ」を、「ファクシミリ送信先」の宛先情報としてファックス番号「ＸＸＸＸ−ＸＸ−ＸＸＸ３」を、「携帯端末Ｐｈ１のアドレス帳の更新」として「更新しない」、「追加する」及び「上書きする」の選択肢を、「複合機Ｍｔ１のアドレス帳の更新」として「更新しない」、「追加する」及び「上書きする」の選択肢を表示するとともに、「送信」ボタンｋ８及び「キャンセル」ボタンｋ９を表示する。
【００７６】
送信者Ｓｅが、手動送信アプリケーション画面ｄｓ５に表示された「電話相手」として受信者Ｒｅの名称を表す「Ｒｅ」、及び「ファクシミリ送信先」の宛先情報としてファックス番号「ＸＸＸＸ−ＸＸ−ＸＸＸ３」を見て、携帯端末Ｐｈ１及び複合機Ｍｔ１のアドレス帳の更新に反映させるかどうかを判断し、「更新しない」、「追加する」及び「上書きする」の各選択肢のいずれかを選択し、「送信」ボタンｋ８を押下すると、携帯端末Ｐｈ１の制御部２７は、図２１に示される更新方法で携帯端末Ｐｈ１のアドレス帳の更新を行い、複合機Ｍｔ１の制御部Ｃｔ１は、図２２に示される更新方法で複合機Ｍｔ１のアドレス帳の更新を行う。
【００７７】
すなわち、携帯端末Ｐｈ１のアドレス帳の更新方法において、アドレス帳に受信者Ｒｅの情報が存在しない場合、送信者Ｓｅが「更新しない」を選択すると、制御部２７は何もしないで更新を終了し、送信者Ｓｅが「追加する」を選択すると、制御部２７はアドレス帳に受信者Ｒｅを新規作成し、送信者Ｓｅが「上書きする」を選択すると、制御部２７はアドレス帳に受信者Ｒｅを新規作成する。一方、アドレス帳に受信者Ｒｅの情報が存在する場合、送信者Ｓｅが「更新しない」を選択すると、制御部２７は何もしないで更新を終了し、送信者Ｓｅが「追加する」を選択すると、制御部２７はアドレス帳の宛先一覧の一番下に受信者Ｒｅを追加し、送信者Ｓｅが「上書きする」を選択すると、制御部２７はアドレス帳の受信者Ｒｅの各情報のうちのどの情報を上書きするか選択して上書きする。
【００７８】
そして、複合機Ｍｔ１のアドレス帳の更新方法において、アドレス帳に受信者Ｒｅの情報が存在しない場合、送信者Ｓｅが「更新しない」を選択すると、制御部Ｃｔ１は何もしないで更新を終了し、送信者Ｓｅが「追加する」を選択すると、制御部Ｃｔ１はアドレス帳に受信者Ｒｅを新規作成し、送信者Ｓｅが「上書きする」を選択すると、制御部Ｃｔ１はアドレス帳に受信者Ｒｅを新規作成する。また、アドレス帳に受信者Ｒｅの情報が存在する場合、送信者Ｓｅが「更新しない」を選択すると、制御部Ｃｔ１は何もしないで更新を終了し、送信者Ｓｅが「追加する」を選択すると、制御部Ｃｔ１は受信者Ｒｅの情報を上書きするかどうかを問い合わせ、送信者Ｓｅが「上書きする」を選択すると、制御部Ｃｔ１はアドレス帳に既に存在する受信者Ｒｅの情報を上書きする。
【００７９】
したがって、前記手動送信アプリケーション画面ｄｓ５において、送信者Ｓｅが携帯端末Ｐｈ１のアドレス帳及び複合機Ｍｔ１のアドレス帳の更新について所定の選択肢を選択し、「送信」ボタンｋ８を押下すると、制御部２７は、複合機Ｍｔ３の情報、及び各アドレス帳の更新について送信者Ｓｅが選択した選択肢である更新情報を、データ記憶部２８に一時的に記録するとともに、複合機Ｍｔ１に送信する。
【００８０】
これにより、複合機Ｍｔ１の制御部Ｃｔ１は、複合機Ｍｔ３の情報及び前記更新情報をデータ記憶部Ｄｔ１に一時的に記録する。
【００８１】
また、複合機Ｍｔ１のファクシミリ通信部Ｔａ１は、複合機Ｍｔ３の情報に基づいて複合機Ｍｔ３に画像データを送信する。
【００８２】
そして、複合機Ｍｔ３のファクシミリ通信部Ｔａ３が画像データを受信すると、制御部Ｃｔ３は、画像データの送信元が複合機Ｍｔ１であることを確認し、画像データを印刷部Ｐｔ３に送る。該印刷部Ｐｔ３は、画像データに従って用紙に原稿の画像を形成し、印刷を行う。
【００８３】
このようにして印刷が行われると、複合機Ｍｔ３のネットワーク通信部Ｔｂ３は、画像データの受信を完了した旨の通知、すなわち、受信完了通知を複合機Ｍｔ１に送信する。また、複合機Ｍｔ１において、ネットワーク通信前記Ｔｂ１が受信完了通知を受信すると、Ｂｌｕｅｔｏｏｔｈ（登録商標）通信部Ｔｃ１は、画像データの送信を完了した旨の通知、すなわち、送信完了通知を携帯端末Ｐｈ１に送信する。
【００８４】
そして、複合機Ｍｔ１の制御部Ｃｔ１は、受信完了通知を受信すると、データ記憶部Ｄｔ１に一時的に記録した更新情報を読み出し、複合機Ｍｔ１のアドレス帳を更新する。また、携帯端末Ｐｈ１の制御部２７は、送信完了通知を受信すると、データ記憶部２８に一時的に記録した更新情報を読み出し、携帯端末Ｐｈ１のアドレス帳を更新する。
【００８５】
この場合、図１４に示される前記手動送信アプリケーション画面ｄｓ５において、「携帯端末Ｐｈ１のアドレス帳の更新」について「追加する」が選択され、「複合機Ｍｔ１のアドレス帳の更新」について「上書きする」が選択されているので、携帯端末Ｐｈ１のアドレス帳は、図２３及び２４に示されるように更新される。
【００８６】
すなわち、携帯端末Ｐｈ１の更新前のアドレス帳においては、図２３に示されるように、受信者Ｒｅの名前が「Ｒｅ」とされ、受信者Ｓｅが使用する内線の電話番号１が「ＸＸＸＸ（内線）」とされ、受信者Ｒｅの携帯端末Ｐｈ１の電話番号２が「ＸＸＸ−ＸＸＸＸ−ＸＸＸＸ（携帯電話）」とされ、受信者Ｒｅが通常使用する、地点Ａｒ２に置かれた複合機Ｍｔ２のファックス番号１が「ＸＸＸＸ−ＸＸ−ＸＸＸ２（複合機Ｍｔ２：地点Ａｒ２）」とされる。
【００８７】
そして、携帯端末Ｐｈ１の更新後のアドレス帳においては、図２４に示されるように、受信者Ｒｅの名前が「Ｒｅ」とされ、受信者Ｓｅが使用する内線の電話番号１が「ＸＸＸＸ（内線）」とされ、受信者Ｒｅの携帯端末Ｐｈ１の電話番号２が「ＸＸＸ−ＸＸＸＸ−ＸＸＸＸ（携帯電話）」とされ、受信者Ｒｅが通常使用する、地点Ａｒ２に置かれた複合機Ｍｔ２のファックス番号１が「ＸＸＸＸ−ＸＸ−ＸＸＸ２（複合機Ｍｔ２：地点Ａｒ２）」とされ、受信者Ｒｅの携帯端末Ｐｈ１の近接の地点Ａｒ３に置かれた複合機Ｍｔ３のファックス番号２が「ＸＸＸＸ−ＸＸ−ＸＸＸ３（複合機Ｍｔ３：地点Ａｒ３）」とされる。
【００８８】
すなわち、携帯端末Ｐｈ１の更新前のアドレス帳には受信者Ｒｅの情報が存在していて、前記手動送信アプリケーション画面ｄｓ５において、「携帯端末Ｐｈ１のアドレス帳の更新」について送信者Ｓｅが「追加する」を選択しているので、制御部２７は、携帯端末Ｐｈ１の更新後のアドレス帳において、宛先一覧の一番下に複合機Ｍｔ３のファックス番号２「ＸＸＸＸ−ＸＸ−ＸＸＸ３（複合機Ｍｔ３２：地点Ａｒ３）を受信者Ｒｅの情報として追加する。
【００８９】
また、複合機Ｍｔ１の更新前のアドレス帳においては、図２５に示されるように、各地点Ａｒ２〜Ａｒ５に置かれた複合機Ｍｔ２〜Ｍｔ５のファックス番号がそれぞれ「ＸＸＸＸ−ＸＸ−ＸＸＸ２」、「ＸＸＸＸ−ＸＸ−ＸＸＸ３」、「ＸＸＸＸ−ＸＸ−ＸＸＸ４」、「ＸＸＸＸ−ＸＸ−ＸＸＸ５」とされ、受信者Ｒｅに画像を送る際のファックス番号が、複合機Ｍｔ２のファックス番号である「ＸＸＸＸ−ＸＸ−ＸＸＸ２」とされる。
【００９０】
そして、複合機Ｍｔ１の更新後のアドレス帳においては、図２６に示されるように、各地点Ａｒ２〜Ａｒ５に置かれた複合機Ｍｔ２〜Ｍｔ５のファックス番号がそれぞれ「ＸＸＸＸ−ＸＸ−ＸＸＸ２」、「ＸＸＸＸ−ＸＸ−ＸＸＸ３」、「ＸＸＸＸ−ＸＸ−ＸＸＸ４」、「ＸＸＸＸ−ＸＸ−ＸＸＸ５」とされ、受信者Ｒｅに画像を送る際のファックス番号が複合機Ｍｔ３のファックス番号である「ＸＸＸＸ−ＸＸ−ＸＸＸ３」とされる。
【００９１】
すなわち、複合機Ｍｔ１の更新前のアドレス帳には受信者Ｒｅの情報が存在していて、前記手動送信アプリケーション画面ｄｓ５において、「複合機Ｍｔ１のアドレス帳の更新」について送信者Ｓｅが「上書きする」を選択しているので、制御部Ｃｔ１は、複合機Ｍｔ１の更新後のアドレス帳において、既に存在する受信者Ｒｅの情報である複合機Ｍｔ２のファックス番号「ＸＸＸＸ−ＸＸ−ＸＸＸ２」を、複合機Ｍｔ３のファックス番号「ＸＸＸＸ−ＸＸ−ＸＸＸ３」に上書きする。
【００９２】
このようにして、携帯端末Ｐｈ１及び複合機Ｍｔ１のアドレス帳が更新されると、携帯端末Ｐｈ１の制御部２７は、操作パネル２６の表示部に、図１５に示される手動送信アプリケーション画面ｄｓ６を形成し、該手動送信アプリケーション画面ｄｓ６に、「ファクシミリ送信を完了しました。」、「携帯端末Ｐｈ１のアドレス帳を更新しました。」及び「複合機Ｍｔ１のアドレス帳を更新しました。」等の、画像データを複合機Ｍｔ３に送信した旨、及び携帯端末Ｐｈ１及び複合機Ｍｔ１のアドレス帳を更新した旨を送信者Ｓｅに通知するメッセージｍ２〜ｍ４を表示するとともに、「終了」ボタンｋ１０を表示し、送信者Ｓｅは、「終了」ボタンｋ１０を押下して手動送信アプリケーションを閉じる。
【００９３】
このように、本実施の形態においては、受信者Ｒｅの携帯端末Ｐｈ２の制御部３７が、複合機Ｍｔ２〜Ｍｔ５のうちの所定の複合機Ｍｔ３を、画像データを受信する複合機として決定し、ネットワーク通信部３４が複合機Ｍｔ３の情報を送信者Ｓｅの携帯端末Ｐｈ１に送信すると、送信者Ｓｅの携帯端末Ｐｈ１のＢｌｕｅｔｏｏｔｈ（登録商標）通信部２９が、受信した複合機Ｍｔ３の情報を複合機Ｍｔ１に送信するので、複合機Ｍｔ１のファクシミリ通信部Ｔａ１は、受信した複合機Ｍｔ３の情報に基づいて画像データを複合機Ｍｔ３に送信することができる。
【００９４】
したがって、送信者Ｓｅは、複合機Ｍｔ１による画像データの送信をキャンセルしたり、受信者Ｒｅがいる地点に置かれた複合機を指定して画像データを送信したりすることなく、受信者Ｒｅに確実に、かつ、容易に画像を送ることができる。
【００９５】
本実施の形態においては、画像通信装置として複合機Ｍｔｉが使用されるが、複合機Ｍｔｉに代えてファクシミリを使用したり、パソコン、及びプリンタ等の画像形成装置から成る画像形成システムを使用したりすることができる。
【００９６】
また、本実施の形態において、第１、第２の通信網として電話通信網Ｎｔ１、Ｎｔ２が使用され、第３の通信網としてネットワーク通信網Ｎｔ３が使用されるが、電話通信網Ｎｔ１、Ｎｔ２に代えてネットワーク通信網を使用することかできる。
【００９７】
さらに、本実施の形態においては、近距離無線通信部としてＢｌｕｅｔｏｏｔｈ（登録商標）通信部Ｔｃｉ、２９、３９が使用されるようになっているが、通信部Ｔｃｉ、２９、３９に代えてＮＦＣを使用することができる。
【００９８】
なお、本発明は前記実施の形態に限定されるものではなく、本発明の趣旨に基づいて種々変形させることが可能であり、それらを本発明の範囲から排除するものではない。
【符号の説明】
【００９９】
２９    Ｂｌｕｅｔｏｏｔｈ（登録商標）通信部
３４    ネットワーク通信部
３７    制御部
Ｍｔ１〜Ｍｔ５    複合機
Ｎｔ１、Ｎｔ２    電話通信網
Ｎｔ３    ネットワーク通信網
Ｐｈ１、Ｐｈ２    携帯端末
Ｒｅ    受信者
Ｓｅ    送信者
Ｓｙ    通信システム
Ｔａ１    ファクシミリ通信部
【図１】
2020136911.tif 000003
【図２】
2020136911.tif 000004
【図３】
2020136911.tif 000005
【図４】
2020136911.tif 000006
【図５】
2020136911.tif 000007
【図６】
2020136911.tif 000008
【図７】
2020136911.tif 000009
【図８】
2020136911.tif 000010
【図９】
2020136911.tif 000011
【図１０】
2020136911.tif 000012
【図１１】
2020136911.tif 000013
【図１２】
2020136911.tif 000014
【図１３】
2020136911.tif 000015
【図１４】
2020136911.tif 000016
【図１５】
2020136911.tif 000017
【図１６】
2020136911.tif 000018
【図１７】
2020136911.tif 000019
【図１８】
2020136911.tif 000020
【図１９】
2020136911.tif 000021
【図２０】
2020136911.tif 000022
【図２１】
2020136911.tif 000023
【図２２】
2020136911.tif 000024
【図２３】
2020136911.tif 000025
【図２４】
2020136911.tif 000026
【図２５】
2020136911.tif 000027
【図２６】
2020136911.tif 000028